(57)【要約】【課題】この発明は、出納への持ち帰りが必要とされる装置管理外紙幣の発生を抑制し、オペレータの負担を軽減することができる紙幣取引装置を提供することを目的とする。【解決手段】鑑別部２は、紙幣装填時に取扱い不能と判定したリジェクト紙幣の金種及び枚数を判定するものであり、リジェクト紙幣の中から、鑑別部２の判定に基づき金種及び枚数が確定した確定済リジェクト紙幣Ｂ３と、金種及び枚数が確定しなかった未確定リジェクト紙幣Ｂ４とを分別するステップＳ４を実行するとともに、未確定リジェクト紙幣Ｂ４を装填回収ボックス１０の装置管理外紙幣収納部１２に収納させるステップＳ６、及び確定済リジェクト紙幣Ｂ３を装置管理外紙幣収納部１２とは異なる他のリジェクト紙幣収納部５に収納させるステップＳ５を実行するＣＰＵ２１を備えた。【選択図】図５
2010277145.tif 000002
【特許請求の範囲】
【請求項１】
紙幣の金種、枚数、及び取扱いの可否を判定する鑑別部と、
紙幣装填時に紙幣を収納する装填回収紙幣収納部、
及び紙幣装填時に前記鑑別部にて取扱い不能と判定したリジェクト紙幣を収納する装置管理外紙幣収納部を有して、
筐体に対し着脱可能とされる装填回収ボックスとを備えた紙幣取引装置であって、
前記鑑別部は、紙幣装填時に取扱い不能と判定したリジェクト紙幣の金種及び枚数を判定するものであり、
前記リジェクト紙幣の中から、前記鑑別部の判定に基づき金種及び枚数が確定した確定済リジェクト紙幣と、金種及び枚数が確定しなかった未確定リジェクト紙幣とを分別するリジェクト紙幣分別手段を備えるとともに、
前記未確定リジェクト紙幣を前記装置管理外紙幣収納部に収納させ、
前記確定済リジェクト紙幣を前記装置管理外紙幣収納部とは異なる他の収納部に収納させる紙幣振り分け手段を備えた
紙幣取引装置。
【請求項２】
紙幣の入金及び出金を受付ける入出金口と、
前記入出金口にて入金された紙幣、または前記入出金口から出金する紙幣を収納する少なくとも1つ以上の正常紙幣収納部とを備え、
前記鑑別部は、入出金取引時に、前記正常紙幣収納部への入金取扱い及び前記正常紙幣収納部からの出金取扱いが不能な入出金不能リジェクト紙幣を判定するものであり、
入出金取引時リジェクト紙幣収納部を備えるとともに、
前記他の収納部として確定済リジェクト紙幣収納部を備え、
前記紙幣振り分け手段は、前記入出金不能リジェクト紙幣を前記入出金取引時リジェクト紙幣収納部に、前記確定済リジェクト紙幣を前記確定済リジェクト紙幣収納部にそれぞれ収納させる
請求項１記載の紙幣取引装置。
【請求項３】
紙幣の入金及び出金を受付ける入出金口と、
前記入出金口にて入金された紙幣、または前記入出金口から出金する紙幣を収納する少なくとも1つ以上の正常紙幣収納部とを備え、
前記鑑別部は、入出金取引時に、前記正常紙幣収納部への入金取扱い及び前記正常紙幣収納部からの出金取扱いが不能な入出金不能リジェクト紙幣を判定するものであり、
前記他の収納部としてリジェクト紙幣収納部を設け、
前記紙幣振り分け手段は、前記確定済リジェクト紙幣及び前記入出金不能リジェクト紙幣を前記リジェクト紙幣収納部に収納させる
請求項１記載の紙幣取引装置。
【請求項４】
前記リジェクト紙幣収納部に収納したリジェクト紙幣の枚数をカウントするリジェクト紙幣計数手段を備え、
前記紙幣振り分け手段は、前記リジェクト紙幣計数手段によりカウントした枚数が所定の閾値を超えた時、以降の前記確定済リジェクト紙幣を前記装置管理外紙幣収納部に収納させる
請求項３記載の紙幣取引装置。
【請求項５】
前記リジェクト紙幣収納部に収納したリジェクト紙幣の枚数をカウントするリジェクト紙幣計数手段とを備え、
前記紙幣振り分け手段は、前記リジェクト紙幣計数手段によりカウントした枚数が所定の閾値を超えた時、以降の前記確定済リジェクト紙幣を前記正常紙幣収納部に収納させる
請求項３記載の紙幣取引装置。
【請求項６】
前記確定済リジェクト紙幣に対し、金種毎に枚数をカウントするリジェクト紙幣計数手段を備えた
請求項１記載の紙幣取引装置。
【発明の詳細な説明】
【技術分野】
【０００１】
この発明は、例えば、金融機関のＡＴＭ（Ａｕｔｏｍａｔｅｄ  Ｔｅｌｌｅｒ  Ｍａｃｈｉｎｅ）に搭載されている紙幣取引装置に関する。
【背景技術】
【０００２】
一般に、紙幣取引装置での紙幣の装填業務では、オペレータが、金融機関の出納で専用の充填回収ボックスに紙幣を装填し、この装填回収ボックスを運んで装置内の所定の位置に装着する。そして、前記装填回収ボックスを装着後、所定の操作を行い、装置内の鑑別部によって紙幣の金種、枚数、及び取扱いの可否を判定させる。
【０００３】
この時、紙幣取引装置では、前記装填回収ボックスから紙幣が１枚ずつ繰出され、鑑別部に搬送される。そして、鑑別部では、紙幣の金種、枚数の他、装置内での取扱いが可能な正常紙幣であるか、取扱いが不能なリジェクト紙幣であるかを判定している。
【０００４】
ここで、リジェクト紙幣としては、例えば、金種が確定できない紙幣（金種不明紙幣）、紙幣の重送等により、枚数が確定できない紙幣（枚数不明紙幣）の他、紙幣の片側の先行量が大きいスキュー異常や、紙幣が搬送路に対して偏っている搬送異常等の各種異常紙幣、汚れ、破損、折れの程度が激しく、出金に適さない紙幣（汚れ紙幣、破れ紙幣、折れ紙幣）等の正常に取扱えない紙幣が挙げられる。
【０００５】
ところで、紙幣取引装置としては、装填回収ボックスに、オペレータが紙幣を装填する主収納部と装置管理外紙幣収納部（副収納部）とを並設したものが知られている（下記特許文献１参照）。
【先行技術文献】
【特許文献】
【０００６】
【特許文献１】特開平４−１６４５９号公報
【発明の概要】
【発明が解決しようとする課題】
【０００７】
前記特許文献１では、前記鑑定部における判定結果が正常紙幣ならば、金種毎に割り当てられた正常紙幣収納部へ搬送される一方、リジェクト紙幣ならば、これを前記装填回収ボックス内の装置管理外紙幣収納部に戻すようにしている。
【０００８】
しかしながら、上述したように装置管理外紙幣収納部に戻されるリジェクト紙幣には、上述した金種不明紙幣、枚数不明紙幣が含まれるため、オペレータは、装置管理外紙幣収納部内のリジェクト紙幣を装置管理外紙幣として装填回収ボックスごと出納へ持ち帰り、中身のチェックを行わなければならなかった。そして、この装填回収ボックスを持ち帰る作業は、オペレータにとって大きな負担となっていた。
【０００９】
この発明は、出納への持ち帰りが必要とされる装置管理外紙幣の発生を抑制し、オペレータの負担を軽減することができる紙幣取引装置を提供することを目的とする。
【課題を解決するための手段】
【００１０】
この発明は、紙幣の金種、枚数、及び取扱いの可否を判定する鑑別部と、紙幣装填時に紙幣を収納する装填回収紙幣収納部、及び紙幣装填時に前記鑑別部にて取扱い不能と判定したリジェクト紙幣を収納する装置管理外紙幣収納部を有して、筐体に対し着脱可能とされる装填回収ボックスとを備えた紙幣取引装置であって、前記鑑別部は、紙幣装填時に取扱い不能と判定したリジェクト紙幣の金種及び枚数を判定するものであり、前記リジェクト紙幣の中から、前記鑑別部の判定に基づき金種及び枚数が確定した確定済リジェクト紙幣と、金種及び枚数が確定しなかった未確定リジェクト紙幣とを分別するリジェクト紙幣分別手段を備えるとともに、前記未確定リジェクト紙幣を前記装置管理外紙幣収納部に収納させ、前記確定済リジェクト紙幣を前記装置管理外紙幣収納部とは異なる他の収納部に収納させる紙幣振り分け手段を備えたことを特徴とする。
【発明の効果】
【００１１】
この発明により、出納への持ち帰りが必要とされる装置管理外紙幣の発生を抑制し、オペレータの負担を軽減することができる。
【図面の簡単な説明】
【００１２】
【図１】この発明の実施形態に係る紙幣取引装置の内部構造を示す側面図。
【図２】紙幣取引装置の制御ブロック図。
【図３】紙幣装填時における正常紙幣の搬送経路を説明するための図。
【図４】紙幣装填時におけるリジェクト紙幣の搬送経路を説明するための図。
【図５】紙幣装填時の紙幣取引装置の動作を示すフローチャート。
【図６】この発明の他の実施形態に係る紙幣取引装置の、紙幣装填時におけるリジェクト紙幣の搬送経路を説明するための図。
【図７】この発明のさらに他の実施形態に係る紙幣取引装置の制御ブロック図。
【図８】紙幣装填時におけるリジェクト紙幣の搬送経路を説明するための図。
【図９】図７、図８に示す紙幣取引装置の動作を示すフローチャート。
【図１０】この発明のさらに他の実施形態に係る紙幣取引装置の、紙幣装填時におけるリジェクト紙幣の搬送経路を説明するための図。
【発明を実施するための形態】
【００１３】
以下、図面に基づいて本発明の実施形態を詳述する。  
図１は、紙幣取引装置の内部構造を示す側面図である。紙幣取引装置Ａは、図１に示すように入出金口１、鑑別部２、一時保留部３、返却保留部４、後述する入出金取引時に発生したリジェクト紙幣（後述）を収納するリジェクト紙幣収納部５、金種毎に紙幣の収納（集積）、繰出しを行う正常紙幣収納部６〜９、装填回収ボックス１０、及びこれらの間で紙幣を搬送するための搬送路１３から構成されている。
【００１４】
このうち、鑑別部２は、紙幣取引装置Ａの紙幣の金種、枚数を判定する他、正常紙幣であるか、リジェクト紙幣（金種不明紙幣、枚数不明紙幣、各種搬送異常紙幣、汚れ紙幣、破れ紙幣、折れ紙幣等）であるかに基づいて、紙幣取引装置Ａ内における取扱いの可否を判定する。
【００１５】
また、充填回収ボックス１０は、装填回収紙幣収納部１１と装置管理外紙幣収納部１２とにより構成されている。装填回収紙幣収納部１１は、紙幣装填回収時に紙幣Ｂ１を収納する収納部であり、装置管理外紙幣収納部１２は、紙幣装填時に発生したリジェクト紙幣を収納する収納部である。
【００１６】
また、充填回収ボックス１０は、紙幣取引装置Ａの筐体Ａ１に対し着脱可能とされている。このため、オペレータは、紙幣の装填業務において、充填回収ボックス１０を一旦紙幣取引装置Ａから取り出して出納に持ち帰り、装填回収紙幣収納部１１に紙幣Ｂ１を装填できるようになっている。そして、紙幣Ｂ１を装填後、充填回収ボックス１０を紙幣取引装置Ａ内の所定の位置に装着し直すことで、該装置Ａで入出金取引を受付けるための準備が行えるようになっている。
【００１７】
図２は、本発明の実施形態に係る紙幣取引装置の制御ブロック図である。紙幣取引装置Ａには、紙幣処理部制御ユニット２０が備えられている。  
紙幣処理部制御ユニット２０は、主に、中央処理装置としてのＣＰＵ２１に、プログラム格納用メモリとしてのＲＯＭ２２と、ＲＡＭ２３と、上位通信Ｉ／Ｏ２４と、鑑別部通信Ｉ／Ｏ２５と、インターフェース２６とが接続された構成となっている。
【００１８】
ＲＯＭ２２には、紙幣取引装置Ａの動作を制御する各種プログラムが格納されている。ＲＯＭ２２には、例えば、紙幣装填時に装填回収ボックス１０の装填回収紙幣収納部１１に装填された紙幣を各正常紙幣収納部６〜９等に振り分ける時の動作を制御する装填制御プログラム２２Ａが格納されている。また、ＲＯＭ２２には、この他にも、入出金口１における紙幣の入出金取引時における動作を制御する入出金制御プログラム（図示せず）が格納されている。
【００１９】
ここで、装填制御プログラム２２Ａは、主に後述する正常紙幣振り分け制御プログラム２２ａ、リジェクト紙幣振り分け制御プログラム２２ｂから構成されている。
【００２０】
また、ＲＡＭ２３は、後述するリジェクト紙幣収納枚数カウント値を記憶する記憶領域２３ａを有している。
【００２１】
また、紙幣処理制御ユニット２０において、ＣＰＵ２１は、通信チップ２４ａからなる上位通信Ｉ／Ｏ２４を介して上位制御ユニット３０に接続されている。さらに、ＣＰＵ２１は、通信チップ２５ａからなる鑑別部通信Ｉ／Ｏ２５を介して鑑別部２に接続されている。
【００２２】
また、ＣＰＵ２１は、搬送路１３を駆動するための搬送モータ４１、搬送監視センサ４２、及び振り分けフラッパ４３を含む搬送機構Ｉ／Ｏ４０がインターフェース２６を介して接続されている。
【００２３】
このうち、例えば、振り分けフラッパ４３は、図２において便宜上１つのブロックで示しているが、実際には、各収納部５〜９、及び装置管理外紙幣収納部１２に対応して、装填紙幣Ｂ１等を振り分ける複数のフラッパが備えられている。
【００２４】
本実施形態では、搬送路１３や振り分けフラッパ４３により、図１にて矢印で示すように、各正常紙幣収納部６〜９及び装填回収紙幣収納部１１において紙幣の収納（集積）、繰出しが可能とされる一方、リジェクト紙幣収納部５及び装置管理外紙幣収納部１２では、紙幣の収納のみが可能となっている。
【００２５】
次に、紙幣取引装置Ａの入出金取引について説明する。先ず、入金取引時には、利用者によって入金される紙幣を入出金口１で受付け、鑑別部２へ搬送する。そして、この紙幣が正常紙幣であるかリジェクト紙幣であるかを判定した後、一時保留部３へ収納し一時保留する。この時にリジェクト紙幣と判定した紙幣は、返却保留部４へ一時保留し、後に入出金口１へ返却する。
【００２６】
一時保留部３は、入金取引毎に入金紙幣をここで一時保留し、入金確定後に一時保留した紙幣を鑑別部２へ搬送し、正常紙幣、リジェクト紙幣のいずれであるかを判定した後、正常紙幣であれば、金種毎に割り当てられた正常紙幣収納部６〜９へ振り分けながら収納する。また、リジェクト紙幣と判定された紙幣は、正常紙幣収納部６〜９への入金が不能であるとみなしてリジェクト紙幣収納部５に振り分けられる。
【００２７】
一方、出金取引時には、正常紙幣収納部６〜９から出金した（繰出した）紙幣が、正常紙幣、リジェクト紙幣のいずれであるかを鑑別部２で判定する。ここで、正常紙幣であれば、入出金口１から出金する一方、リジェクト紙幣であれば、入出金口１からの出金が不能であるとみなしてリジェクト紙幣収納部５へ収納する。
【００２８】
ここで、リジェクト紙幣収納部５にリジェクト紙幣が収納される時には、その枚数が金種毎にカウントされている。例えば、紙幣１枚が鑑別部２においてリジェクト紙幣と判定される毎にその金種に応じてカウント値が都度更新され、これがリジェクト紙幣収納枚数カウント値としてＲＡＭ２３に記憶される。
【００２９】
次に、図２〜図４を参照して、紙幣取引装置Ａの装填制御時の動作について説明する。図３は、紙幣装填時における正常紙幣の搬送経路を説明するための図であり、図４は、紙幣装填時におけるリジェクト紙幣の搬送経路を説明するための図である。
【００３０】
紙幣取引装置Ａで紙幣Ｂ１を装填するにあたり、オペレータは、先ず充填回収ボックス１０の装填回収紙幣収納部１１に紙幣Ｂ１を装填し、装填回収ボックス１０を装置Ａ内の所定の位置に装着する。
【００３１】
ここで、上位制御ユニット３０では、上述した装填回収ボックス１０の装着作業後、オペレータによる所定の操作を受付けるようになっている。上位制御ユニット３０では、前記所定の操作を受付けると、紙幣処理制御ユニット２０に対して制御信号を送信し、装填制御プログラム２２Ａに基づいた装填制御を実行させる。
【００３２】
この時、紙幣取引装置Ａでは、装填回収ボックス１０内の装填回収紙幣収納部１１から紙幣を１枚ずつ繰出し、紙幣取引装置Ａ内での取扱いが可能な正常紙幣、取扱いが不能なリジェクト紙幣のいずれかを鑑別部２で判定する。ここで、正常紙幣Ｂ２であれば、図３にて太矢印Ｘ１で示すように金種に対応する正常紙幣収納部６〜９へ振り分ける。
【００３３】
一方、リジェクト紙幣であれば、金種及び枚数が確定している場合、図４にて太矢印Ｙ１で示すように、これを確定済リジェクト紙幣Ｂ３としてリジェクト紙幣収納部５へ収納し、金種及び枚数が確定していない場合は、図４にて太矢印Ｙ２で示すように、これを未確定リジェクト紙幣Ｂ４として装置管理外紙幣収納部１２へ収納する。
【００３４】
ここで、確定済リジェクト紙幣Ｂ３がリジェクト紙幣収納部５へ収納される時には、入出金取引時と同様、その枚数が金種毎にカウントされ、更新された前記カウント値がＲＡＭ２３に記憶される。
【００３５】
次に、図５に示すフローチャートとともに、本実施形態における紙幣装填時の紙幣取引装置Ａの動作について説明する。  
先ず、紙幣処理制御ユニット２０のＣＰＵ２１は、鑑別部２から判定結果を受信する（ステップＳ１）。ここで、ＣＰＵ２１は、前記判定結果が正常紙幣Ｂ２であった場合は（ステップＳ２：ＹＥＳ）、ＲＯＭ２２に格納された装填制御プログラム２２Ａの正常紙幣振り分け制御プログラム２２ａを実行する。そして、正常紙幣収納部６〜９に対応する振り分けフラッパ４３を制御し、鑑別部２の判定により確定した金種に応じて収納先を正常紙幣収納部６〜９のいずれかに決定する（ステップＳ３）。
【００３６】
一方、正常紙幣Ｂ２ではない紙幣、すなわちリジェクト紙幣であると判定された場合（ステップＳ２：ＮＯ）、ＣＰＵ２１は、ＲＯＭ２２に格納された装填制御プログラム２２Ａのリジェクト紙幣振り分け制御プログラム２２ｂを実行する。この時、ＣＰＵ２１は、先ず前記リジェクト紙幣が確定済リジェクト紙幣Ｂ３であるか、未確定リジェクト紙幣Ｂ４であるかを判定する（ステップＳ４）。
【００３７】
ここで、確定済リジェクト紙幣である場合は（ステップＳ４：ＹＥＳ）、リジェクト紙幣収納部５を収納先と決定し、これに対応する振り分けフラッパ４３を制御する一方（ステップＳ５）、未確定リジェクト紙幣Ｂ４である場合は（ステップＳ４：ＮＯ）、装置管理外紙幣収納部１２を収納先と決定し、これに対応する振り分けフラッパ４３を制御する（ステップＳ６）。このように、ＣＰＵ２１は、リジェクト紙幣を金種及び枚数の判定に基づいてリジェクト紙幣収納部５、装置管理外紙幣収納部１２のいずれかに振り分ける。
【００３８】
このように、本実施形態では、ＣＰＵ２１が、ステップＳ４の処理を実行することにより、リジェクト紙幣の中から、金種及び枚数が確定している確定済リジェクト紙幣Ｂ３と、金種及び枚数が確定していなかった未確定リジェクト紙幣Ｂ４とを分別する分別手段として機能している。
【００３９】
さらに、ＣＰＵ２１は、ステップＳ４の判定に基づいてステップＳ５、Ｓ６の処理を実行することにより、各リジェクト紙幣Ｂ３、Ｂ４をリジェクト紙幣収納部５、装置管理外紙幣収納部１２に振り分ける振り分け手段として機能している。
【００４０】
ここで、確定済リジェクト紙幣Ｂ３と判定されるケースとしては、金種及び枚数が確定しているものの、紙幣の汚れ、破損、テープ等の異物の付着、搬送通過時に片側が先行して正常に正常紙幣収納部６〜９へ集積することができないスキュー異常等の搬送異常が発生したものが挙げられる。
【００４１】
このように、装填時において金種及び枚数が確定している確定済リジェクト紙幣Ｂ３を、装置管理外紙幣収納部１２とは異なる他の収納部としてリジェクト紙幣収納部５に振り分けるようにし、装置管理外紙幣収納部１２へ収納しないようにすることにより、リジェクト紙幣が確定済リジェクト紙幣Ｂ３だけの場合には、装置管理外紙幣収納部１２に戻る紙幣がなくなる。
【００４２】
この場合、紙幣取引装置Ａ内の紙幣は、全て金種、枚数が管理された紙幣となることから、オペレータは、装置管理外紙幣収納部１２内をチェックする必要がなくなる。よって、装填回収ボックス１０を筐体Ａ１から取外して持ち帰る手間が削減できるという効果がある。
【００４３】
つまり、リジェクト紙幣のうち、大多数を占める確定済リジェクト紙幣Ｂ３が装置管理外紙幣収納部１２に戻らないようにすることで、出納への持ち帰りが必要とされる装置管理外紙幣の発生を抑制し、オペレータの負担を軽減することができる。
【００４４】
また、入出金取引時に発生したリジェクト紙幣と、紙幣装填時の確定済リジェクト紙幣Ｂ３とを共通のリジェクト紙幣収納部５で収納することにより、別途収納部を設ける必要がなくなり、紙幣取引装置Ａにおける省スペース化を図ることができる。
【００４５】
また、ＣＰＵ２１は、ステップＳ４で確定済リジェクト紙幣Ｂ３と判定した時には、ステップＳ５の処理とともに、確定した金種に応じて、ＲＡＭ２３に記憶されている前記カウント値を更新する。ＣＰＵ２１は、確定済リジェクト紙幣Ｂ３の枚数を金種毎にカウントするリジェクト紙幣計数手段として機能している。
【００４６】
このように、リジェクト紙幣Ｂ３、Ｂ４の分別、振り分けと同時に、リジェクト紙幣収納部５に収納される確定済リジェクト紙幣Ｂ３の枚数を金種毎にカウントすることで、紙幣取引装置Ａにおける紙幣の管理をより正確に、かつ容易に行うことができる。
【００４７】
なお、図１〜図５に示す最初の実施形態では、装填時に発生した確定済リジェクト紙幣Ｂ３を入出金取引時に発生したリジェクト紙幣を収納するリジェクト紙幣収納部５に収納することとしたが、この場合、リジェクト紙幣収納部５内がリジェクト紙幣で満杯または満杯に近い状態になり易くなってしまう。
【００４８】
ここで、仮にリジェクト紙幣収納部５が満杯になってしまうと、入出金取引時においてリジェクト紙幣が発生した場合、その収納先がなくなることになり、その結果紙幣取引装置Ａの入出金取引が継続できなくなるという不都合が生じる。
【００４９】
そこで、図６では、前記他の収納部として、リジェクト紙幣収納部５とは異なる確定済リジェクト紙幣収納部１４を設け、図６にて太矢印Ｙ３で示すように、確定済リジェクト紙幣Ｂ３が発生した場合は、これを確定済リジェクト紙幣収納部１４に振り分けて収納させるようにしている。
【００５０】
そして、本実施形態では、リジェクト紙幣収納部５が、入出金取引時のリジェクト紙幣Ｂ５を収納する専用の入出金取引時リジェクト紙幣収納部として機能している。なお、図６において、図１〜図５に示す最初の実施形態と同様の構成要素については、同一の番号を付して説明を省略する。
【００５１】
この場合、確定済リジェクト紙幣Ｂ３をリジェクト紙幣収納部５とは異なる確定済リジェクト紙幣収納部１４に収納させることで、図６に示すように、装填時に発生したリジェクト紙幣Ｂ３と入出金取引時に発生したリジェクト紙幣Ｂ５とを分けて収納することができ、リジェクト紙幣収納部５がリジェクト紙幣で満杯になることを回避することができる。
【００５２】
次に、図７〜図９を参照して、本発明のさらに他の実施形態について説明する。図７は、紙幣取引装置Ａの制御ブロック図であり、図８は、紙幣装填時におけるリジェクト紙幣の搬送経路を説明するための図、図９は、図７、図８に示す紙幣取引装置Ａの動作を示すフローチャートである。なお、図７、図８において、図１〜図５に示す最初の実施形態と同様の構成要素については、同一の番号を付して説明を省略する。
【００５３】
図７〜図９に示す実施形態では、通常時、確定済リジェクト紙幣Ｂ３をリジェクト紙幣収納部５に収納する一方、該リジェクト紙幣収納部５に収納されたリジェクト紙幣の枚数が所定枚数を超えた時には、以降の確定済リジェクト紙幣Ｂ３の収納先を他の装置管理外紙幣収納部１２に収納するようにしている。
【００５４】
本実施形態では、紙幣処理制御ユニット２０において、ＲＯＭ２２内に格納されている装填制御プログラム２２Ａ′のうち、リジェクト紙幣振り分け制御プログラム１２２ｂが、後述する収納先変更判定プログラム１２２ｂ１を含んでいる。
【００５５】
また、本実施形態では、ＲＡＭ２３にて金種毎に記憶されているリジェクト紙幣収納枚数カウント値を利用して、リジェクト紙幣収納部５に収納されている総枚数カウント値も記憶領域２３ａに記憶されている。そして、ＲＡＭ２３は、この記憶領域２３ａに加え、後述する収納先変更判定閾値を記憶する記憶領域２３ｂを有している。
【００５６】
そして、紙幣Ｂ１の装填時において、確定済リジェクト紙幣Ｂ３は、通常であれば、最初の実施形態と同様リジェクト紙幣収納部５に収納されるが、リジェクト紙幣収納部５に収納されている枚数が、上述した収納先変更判定閾値を超えると、図８にて太矢印Ｙ４で示すように、確定済リジェクト紙幣Ｂ３の収納先を装置管理外紙幣収納部１２にする。
【００５７】
次に、図９に示すフローチャートとともに、本実施形態における紙幣装填時の紙幣取引装置Ａの動作について説明する。  
先ず、ＣＰＵ２１は、図５に示すステップＳ１〜Ｓ４に対応するステップＳ１１〜ステップＳ１４を実行する。この時、ＣＰＵ２１は、ステップＳ１２における判定結果が正常紙幣Ｂ２であった場合は（ステップＳ１２：ＹＥＳ）、装填制御プログラム２２Ａ′の正常紙幣振り分け制御プログラム２２ａを実行し、リジェクト紙幣であった場合は（ステップＳ１２：ＮＯ）、リジェクト紙幣振り分け制御プログラム１２２ｂを実行する。
【００５８】
ここで、リジェクト紙幣が未確定リジェクト紙幣Ｂ４であった場合（ステップＳ１４：ＮＯ）、ＣＰＵ２１は、図５のステップＳ６に対応するステップＳ１６を実行する。
【００５９】
一方、リジェクト紙幣が確定済リジェクト紙幣Ｂ３であった場合（ステップＳ１４：ＹＥＳ）、ＣＰＵ２１は、リジェクト紙幣振り分け制御プログラム１２２ｂの収納先変更判定プログラム１２２ｂ１を実行する。
【００６０】
この時、ＣＰＵ２１は、ＲＡＭ２３に記憶されている金種毎のカウント値を更新すると同時に、リジェクト紙幣収納部５に収納されている総枚数カウント値を更新する。そして、ＣＰＵ２１は、該カウント値と、ＲＡＭ２３に記憶されている前記収納先変更判定閾値とを比較する（ステップＳ１５）。
【００６１】
ステップＳ１５における比較の結果、前記カウント値が前記閾値を超えた場合（ステップＳ１５：ＹＥＳ）、現状以上にリジェクト紙幣収納部５に紙幣を収納することができない状態にあるとみなして、確定済リジェクト紙幣Ｂ３の収納先を装置管理外紙幣収納部１２と決定し、これに対応する振り分けフラッパ４３を制御する（ステップＳ１６）。
【００６２】
一方、ステップＳ１５における比較の結果、前記カウント値が前記閾値以下である場合（ステップＳ１５：ＮＯ）、確定済リジェクト紙幣Ｂ３の収納先をリジェクト紙幣収納部５に決定し、これに対応する振り分けフラッパ４３を制御する（ステップＳ１７）。
【００６３】
このように、リジェクト紙幣収納部５に収納されたリジェクト紙幣の枚数をカウントし、このカウント値が所定の閾値を超えた時にリジェクト紙幣収納部５とは異なる装置管理外紙幣収納部１２に確定済リジェクト紙幣Ｂ３を収納するようにしたことにより、紙幣装填時の確定済リジェクト紙幣Ｂ３によってリジェクト紙幣収納部５が満杯になることが防止でき、その結果紙幣取引装置Ａの入出金取引が継続できなくなる事態を回避することができる。
【００６４】
なお、本発明は、リジェクト紙幣収納部５に収納されたリジェクト紙幣の枚数カウント値が所定の閾値を超えた時、前記確定済リジェクト紙幣Ｂ３の収納先を装置管理外紙幣収納部１２とすることに必ずしも限定されない。例えば、確定済リジェクト紙幣Ｂ３の収納先を、図１０にて太矢印Ｙ５で示すように正常紙幣収納部６〜９とし、金種毎に振り分けて収納するようにしてもよい。なお、図１０において、図１〜図５に示す最初の実施形態と同様の構成要素については、同一の番号を付して説明を省略する。
【００６５】
この場合、確定済リジェクト紙幣Ｂ３が、正常紙幣に比べて搬送路１３における紙幣滞留や振り分け不良を発生させ易いという不都合があるが、その反面、リジェクト紙幣収納部５が満杯になることを回避しつつ、装置管理外紙幣収納部１２に紙幣が戻らないため、オペレータの負担を軽減できるという効果がある。
【００６６】
また、確定済リジェクト紙幣の収納先変更を判定するために予め設定された収納先変更判定閾値を紙幣処理制御ユニット２０のＲＡＭ２３（図７参照）に記憶させることにも必ずしも限定されない。例えば、この収納先変更判定閾値を上位制御ユニット３０内の記憶手段に記憶してもよい。この場合、ＣＰＵ２１は、上位通信Ｉ／Ｏ２４を介して上位制御ユニット３０内の記憶手段から前記収納先変更判定閾値を読み出すことにより、図９に示すステップＳ１４を実行する。
【符号の説明】
【００６７】
１…入出金口
２…鑑別部
５…リジェクト紙幣収納部
６〜９…正常紙幣収納部
１０…装填回収ボックス
１２…装置管理外紙幣収納部
１４…確定済リジェクト紙幣収納部
２１…ＣＰＵ
Ａ…紙幣取引装置
【図１】
2010277145.tif 000003
【図２】
2010277145.tif 000004
【図３】
2010277145.tif 000005
【図４】
2010277145.tif 000006
【図５】
2010277145.tif 000007
【図６】
2010277145.tif 000008
【図７】
2010277145.tif 000009
【図８】
2010277145.tif 000010
【図９】
2010277145.tif 000011
【図１０】
2010277145.tif 000012